(57)【要約】      （修正有）【課題】先端回動式レンチおよび先端回動式スパナを提供する。【解決手段】先端にねじ類係合用のＵ字状開放部１２を有するスパナ１１であって、該Ｕ字状開放部のほぼ中央部分に回転軸１３を固定し、かつスパナのＵ字状開放部に取り付けた回転軸の上部にハンドル１４の先端を軸着することにより、Ｕ字状開放部とハンドルとが相互に回転可能なように上下に連結されており、Ｕ字状開放部をハンドルの回転方向に押す操作によりねじ類２１を締めたり緩めたりできるようにする一方、Ｕ字状開放部の中央部分に回転軸を固定し、かつスパナのＵ字状開放部に取り付けた回転軸の上部にハンドルの先端を軸着したことにより、従来困難であった非常に狭い幅内に取り付けたねじ類を無理なく締めたり緩めたりできるようにした。【選択図】図５
0003233599.tif 000002
【実用新案登録請求の範囲】
【請求項１】
先端にねじ類係合用のＵ字状開放部を有するスパナであって、該Ｕ字状開放部のほぼ中央部分に回転軸を固定し、かつスパナのＵ字状開放部に取り付けた前記回転軸の上部にハンドルの先端を軸着することにより、Ｕ字状開放部とハンドルとが相互に回転可能なように上下に連結されており、前記Ｕ字状開放部をハンドルの回転方向に押す操作によりねじ類を締めたり緩めたりできるようにする一方、前記Ｕ字状開放部の中央部分に回転軸を固定し、かつスパナのＵ字状開放部に取り付けた前記回転軸の上部にハンドルの先端を軸着したことにより、従来困難であった非常に狭い幅内に取り付けたねじ類を無理なく締めたり緩めたりできるようにしたことを特徴とする先端回動式スパナ。
【請求項２】
先端にねじ類係合用の輪型の嵌合部分を有するレンチであって、該輪型の嵌合部分の中央部分に回転軸を固定し、かつスパナの輪型の嵌合部分に取り付けた前記回転軸の上部にハンドルの先端を軸着することにより、輪型の嵌合部分とハンドルとが相互に回転可能なように上下に連結されており、前記輪型の嵌合部分をハンドルの回転方向に押す操作によりねじ類を締めたり緩めたりできるようにする一方、前記輪型の嵌合部分の中央部分に回転軸を固定し、かつレンチの輪型の嵌合部分に取り付けた前記回転軸の上部にハンドルの先端を軸着したことにより、従来困難であった非常に狭い幅内に取り付けたねじ類を無理なく締めたり緩めたりできるようにしたことを特徴とする請求項１に記載の先端回動式レンチ。
【請求項３】
先端にねじ類係合用の輪型の嵌合部分を有するレンチもしくはＵ字状開放部を有するスパナであって、ハンドルのほぼ中央に手で持ちやすい平板部を形成してあることを特徴とする請求項１または２に記載の先端回動式レンチおよび先端回動式スパナ。
【考案の詳細な説明】
【技術分野】
【０００１】
本考案は、非常に狭い幅内に取り付けたねじ類を無理なく締めたり緩めたりできるようにした先端回動式レンチおよび先端回動式スパナに関する。
【背景技術】
【０００２】
ねじ類を無理なく締めたり緩めたりできるレンチやスパナは種々存在するが、非常に狭い幅内に取り付けたねじ類を無理なく締めたり緩めたりできるレンチやスパナを存在しなかった。
【０００３】
従来、上記のような問題を解決する手段として、特開２００１―１２１４３５号公報 (特許文献１参照)や、特許第６５３９７１９号公報（特許文献２参照）、米国特許出願公開２００４／０２６１５８６号公報（特許文献３参照）のレンチあるいはスパナが提案されている。
【０００４】
しかしながら、前記先行技術のレンチあるいはスパナも工具の第１の接続部を備えるヘッド部（レンチやスパナ）と第２の接続部を備えるハンドル部を連結する連結部を備え、ヘッド部（レンチやスパナ）とハンドル部をそれぞれ回転軸を介して連結部に連結するようにした構造となっている。
【先行技術文献】
【特許文献】
【０００５】
【特許文献１】特開２００１―１２１４３５号公報
【特許文献２】特許第６５３９７１９号公報
【特許文献３】米国特許出願公開２００４／０２６１５８６号公報
【考案の概要】
【考案が解決しようとする課題】
【０００６】
しかしながら、前記先行技術のレンチあるいはスパナも工具の第１の接続部を備えるヘッド部（レンチやスパナ）と第２の接続部を備えるハンドル部を連結する連結部を備え、ヘッド部（レンチやスパナ）とハンドル部をそれぞれ回転軸を介して連結部に連結するものであり、工具のヘッド部（レンチやスパナ）と回転軸との間には所定の間隔が存在している。
ところが、以上のような工具のヘッド部（レンチやスパナ）と回転軸との間には所定の間隔が存在する構造では、非常に狭い幅内に取り付けたねじ類は前記間隔が障害となってを無理なく締めたり緩めたりすることはできなかったのである。
【０００７】
本考案は、上述したように前記間隔の存在による従来の問題を解消するように改良したものであり、非常に狭い幅内に取り付けたねじ類を前記間隔をなくして無理なく締めたり緩めたりすることを可能とした先端回動式レンチおよび先端回動式スパナを提供することをその目的とするものである。
【課題を解決するための手段】
【０００８】
すなわち請求項１の先端回動式スパナは、先端にねじ類係合用のＵ字状開放部を有するスパナであって、該Ｕ字状開放部のほぼ中央部分に回転軸を固定し、かつスパナのＵ字状開放部に取り付けた前記回転軸の上部にハンドルの先端を軸着することにより、Ｕ字状開放部とハンドルとが相互に回転可能なように上下に連結されており、前記Ｕ字状開放部をハンドルの回転方向に押す操作によりねじ類を締めたり緩めたりできるようにする一方、前記Ｕ字状開放部の中央部分に回転軸を固定し、かつスパナのＵ字状開放部に取り付けた前記回転軸の上部にハンドルの先端を軸着したことにより、非常に狭い幅内に取り付けたねじ類を無理なく締めたり緩めたりできるようにしたことを特徴とするものである。
【０００９】
また請求項２の先端回動式レンチは、先端にねじ類係合用の輪型の嵌合部分を有するレンチであって、該輪型の嵌合部分の中央部分に回転軸を固定し、かつスパナの輪型の嵌合部分に取り付けた前記回転軸の上部にハンドルの先端を軸着することにより、輪型の嵌合部分とハンドルとが相互に回転可能なように上下に連結されており、前記輪型の嵌合部分をハンドルの回転方向に押す操作によりねじ類を締めたり緩めたりできるようにする一方、前記輪型の嵌合部分の中央部分に回転軸を固定し、かつレンチの輪型の嵌合部分に取り付けた前記回転軸の上部にハンドルの先端を軸着したことにより、非常に狭い幅内に取り付けたねじ類を無理なく締めたり緩めたりできるようにしたことを特徴とするものである。
【００１０】
請求項３に記載の先端回動式レンチおよび先端回動式スパナは、先端にねじ類係合用の輪型の嵌合部分を有するレンチもしくはＵ字状開放部を有するスパナであって、ハンドルのほぼ中央に手で持ちやすい平板部を形成してあることを特徴とするものである。
【考案の効果】
【００１１】
本考案は請求項１に記載の先端回動式スパナであって、先端にねじ類係合用のＵ字状開放部を有するスパナであって、該Ｕ字状開放部のほぼ中央部分に回転軸を固定し、かつスパナのＵ字状開放部に取り付けた前記回転軸の上部にハンドルの先端を軸着することにより、Ｕ字状開放部とハンドルとが相互に回転可能なように上下に連結されており、前記Ｕ字状開放部をハンドルの回転方向に押す操作によりねじ類を締めたり緩めたりできるようにする一方、前記Ｕ字状開放部の中央部分に回転軸を固定し、かつスパナのＵ字状開放部に取り付けた前記回転軸の上部にハンドルの先端を軸着したことにより、非常に狭い幅内に取り付けたねじ類を無理なく締めたり緩めたりできるようにしたことを特徴とするものである。
したがって、従来困難であった非常に狭い幅内に取り付けたねじ類を無理なく締めたり緩めたりすることができるようになった。
【００１２】
請求項２に記載の先端回動式レンチは、先端にねじ類係合用の輪型の嵌合部分を有するレンチであって、該輪型の嵌合部分の中央部分に回転軸を固定し、かつスパナの輪型の嵌合部分に取り付けた前記回転軸の上部にハンドルの先端を軸着することにより、輪型の嵌合部分とハンドルとが相互に回転可能なように上下に連結されており、前記輪型の嵌合部分をハンドルの回転方向に押す操作によりねじ類を締めたり緩めたりできるようにする一方、前記輪型の嵌合部分の中央部分に回転軸を固定し、かつレンチの輪型の嵌合部分に取り付けた前記回転軸の上部にハンドルの先端を軸着したことにより、非常に狭い幅内に取り付けたねじ類を無理なく締めたり緩めたりできるようにしたことを特徴とするものである。
したがって、従来困難であった非常に狭い幅内に取り付けたねじ類を無理なく締めたり緩めたりすることができるようになった。
【００１３】
請求項３に記載の先端回動式レンチおよび先端回動式スパナは、先端にねじ類係合用の輪型の嵌合部分を有するレンチもしくはＵ字状開放部を有するスパナであって、ハンドルのほぼ中央に手で持ちやすい平板部を形成してある。
したがって、どのようなサイズの先端回動式レンチおよび先端回動式スパナであっても非常に持ちやすく、作業性が大幅に改善されたものである。
【図面の簡単な説明】
【００１４】
【図１】本考案の先端回動式スパナの実施例を示す概略平面図である。
【図２】その概略背面図である。
【図３】（ａ）および（ｂ）はその概略側面図である。
【図４】ねじ類への先端回動式スパナの取り付け前の概略斜視図である。
【図５】（ａ）および（ｂ）はねじ類へ先端回動式スパナを取り付けて操作する状態の概略平面図である。
【図６】本考案の先端回動式レンチの実施例を示す概略平面図である。
【図７】その概略背面図である。
【図８】（ａ）および（ｂ）はその概略側面図である。
【図９】ねじ類へ先端回動式レンチを取り付けて操作する状態の概略斜視図である。
【考案を実施するための形態】
【００１５】
以下図面に基いて本考案の先端回動式スパナの実施例を具体的に説明する。
【００１６】
図１ないし図３（ａ）および（ｂ）は本考案の先端回動式スパナの実施例を示すものであって、それぞれ図１は概略正面図、図２は概略背面図、図３は概略側面図である。
この先端回動式スパナは、先端にねじ類係合用のＵ字状開放部１２を有するスパナ１１であって、該Ｕ字状開放部１２のほぼ中央部分１２ａに回転軸１３を固定し、かつスパナ１１のＵ字状開放部１２に取り付けた前記回転軸１３の上部にハンドル１４の先端を軸着することにより、Ｕ字状開放部１２とハンドル１４とが相互に回転可能なように上下に連結してある。
【００１７】
そして、図４の概略斜視図に示すように、前記Ｕ字状開放部１２をねじ類２１にはめ込むのであるが、ハンドル１４を押す操作により回転軸１３位置で回転させてＵ字状開放部１２を回転方向に回し、ねじ類２１を締めたり緩めたりできるようにするのである。その一方、前記Ｕ字状開放部１２の中央部分に回転軸１３を固定し、かつスパナ１１のＵ字状開放部１２に取り付けた前記回転軸１３の上部にハンドル１４の先端を軸着してある。
したがって、工具のスパナ（ヘッド部）１１と回転軸１３との間には所定の間隔が存在しなくなり、ハンドル１４を押す操作により回転軸１３位置でＵ字状開放部１２を回転させてねじ類２１を回すのである。そのため、従来困難であった非常に狭い幅内に取り付けたねじ類２１を無理なく締めたり緩めたりすることができるようになった。
ちなみに、ハンドル１４のほぼ中央には手で持ちやすい平板部１４ａを形成してある。したがって、どのようなサイズの先端回動式スパナであっても非常に持ちやすく、作業性が大幅に改善されるのである。
【００１８】
先端回動式スパナの操作を図５（ａ）および（ｂ）に基いて説明すると、ねじ類２１が非常に狭い幅のＵ字溝２２ａを備えた治具２２内に取り付けられており、その非常に狭い幅内に取り付けたねじ類２１の頭部に工具のスパナ（ヘッド部）１１にはめ込む。その際、工具のスパナ（ヘッド部）１１と回転軸１３との間には所定の間隔が存在しなくなり、ハンドル１４を押す操作により回転軸１３位置でＵ字状開放部１２を回転させて非常に狭い幅のＵ字溝２２ａを備えた治具２２内に取り付けたねじ類２１を回すことができる。このようなハンドル１４を押す操作のみでねじ類２１を回すことができるため、ネジ類２１の取り付け取外し作業の作業効率が飛躍的に向上した。
【００１９】
図６ないし図８（ａ）および（ｂ）は本考案の先端回動式レンチの実施例を示すものであって、それぞれ図６は概略正面図、図７は概略背面図、図８（ａ）および（ｂ）は概略側面図である。
先端回動式レンチは、先端にねじ類係合用の輪型の嵌合部分３２を有するレンチ３１であって、該輪型の嵌合部分３２の中央部分に回転軸３３を固定し、かつレンチ３１の輪型の嵌合部分３２に取り付けた前記回転軸３３の上部にハンドル３４の先端を軸着することにより、輪型の嵌合部分３２とハンドル３４とが相互に回転可能なように上下に連結されている。
したがって、スパナ（ヘッド部）３１の輪型の嵌合部分３２と回転軸３３との間には所定の間隔が存在しなくなり、従来困難であった非常に狭い幅内に取り付けたねじ類４１を無理なく締めたり緩めたりすることができるようになった。
【００２０】
そして、図９の概略斜視図に示すように、前記輪型の嵌合部分３２をねじ類４１にはめ込むのであるが、ハンドル３４の回転方向に押す操作によりねじ類４１を締めたり緩めたりできるようにする一方、前記輪型の嵌合部分３２の中央部分に回転軸３３を固定し、かつレンチ３１の輪型の嵌合部分３２に取り付けた前記回転軸３３の上部にハンドル３４の先端を軸着したことにより、従来困難であった非常に狭い幅内に取り付けたねじ類４１を無理なく締めたり緩めたりできるようになった。
【００２１】
ちなみに、ハンドル３４のほぼ中央には手で持ちやすい平板部３４ａを形成してある。したがって、どのようなサイズの先端回動式レンチであっても非常に持ちやすく、作業性が大幅に改善されるのである。
【産業上の利用可能性】
【００２２】
本考案の先端回動式レンチおよび先端回動式スパナは、上記した従来困難であった非常に狭い幅内に取り付けたねじ類３１，４１の連結のためばかりでなく、その他の種々の用途にも好適に使用することができる。
【００２３】
なお、本考案は、その全体が金属またはエンジニアリングプラスチックにより製作することを原則とするが、これは絶対的な要件ではない。場合によっては、全体または部分的に他の素材やその他の形状を用いるように構成する場合もある。
【符号の説明】
【００２４】
１１  スパナ
１２  Ｕ字状開放部
１２ａ  中央部分
１３  回転軸
１４  ハンドル
１４ａ  平板部
２１  ねじ類
２２  治具
２２ａ  Ｕ字溝
３１  レンチ
３２  輪型の嵌合部分
３３  回転軸
３４  ハンドル
３４ａ  平板部
４１  ねじ類
【図１】
0003233599.tif 000003
【図２】
0003233599.tif 000004
【図３】
0003233599.tif 000005
【図４】
0003233599.tif 000006
【図５】
0003233599.tif 000007
【図６】
0003233599.tif 000008
【図７】
0003233599.tif 000009
【図８】
0003233599.tif 000010
【図９】
0003233599.tif 000011
【手続補正書】
【提出日】令和3年6月14日(2021.6.14)
【手続補正１】
【補正対象書類名】実用新案登録請求の範囲
【補正対象項目名】請求項２
【補正方法】変更
【補正の内容】
【請求項２】
先端にねじ類係合用の輪型の嵌合部分を有するレンチであって、該輪型の嵌合部分の中央部分に回転軸を固定し、かつスパナの輪型の嵌合部分に取り付けた前記回転軸の上部にハンドルの先端を軸着することにより、輪型の嵌合部分とハンドルとが相互に回転可能なように上下に連結されており、前記輪型の嵌合部分をハンドルの回転方向に押す操作によりねじ類を締めたり緩めたりできるようにする一方、前記輪型の嵌合部分の中央部分に回転軸を固定し、かつレンチの輪型の嵌合部分に取り付けた前記回転軸の上部にハンドルの先端を軸着したことにより、従来困難であった非常に狭い幅内に取り付けたねじ類を無理なく締めたり緩めたりできるようにしたことを特徴とする先端回動式レンチ。